(57)【要約】【課題】低消費電力で多色表示を実現できる表示装置を得る。【解決手段】表示用の補正演算処理を施して補正後のビデオデータを生成し、表示に必要な駆動信号と補正後のビデオデータとを出力する駆動ＩＣ部１０と、複数のサブ画素に接続されたそれぞれのデータラインに対して補正後のビデオデータを供給することで、所望のカラー表示を行うパネル部２０とを備え、カラー表示から所望の単一色表示に切り替える場合に単一色表示モード信号を出力する表示切り替え制御部をさらに備え、単一色表示モード信号を受信した場合には、駆動ＩＣ部１０は、補正演算処理および補正後のビデオデータの出力処理を停止あるいはスタンバイ状態とし、パネル部２０は、補正後のビデオデータの代わりに、単一色表示を行うために必要な特定電圧をデータラインに対して供給することで所望の単一色を表示する。【選択図】図３
2011013275.tif 000002
【特許請求の範囲】
【請求項１】
ビデオデータに対して表示用の補正演算処理を施して補正後のビデオデータを生成し、表示に必要な駆動信号と前記補正後のビデオデータとを出力する駆動ＩＣ部と、
前記駆動ＩＣ部により生成された前記駆動信号および前記補正後のビデオデータを読み込み、複数のサブ画素に接続されたそれぞれのデータラインに対して、前記データラインに対応する前記補正後のビデオデータを供給することで、所望のカラー表示を行うパネル部と
を備えた表示装置であって、
カラー表示から所望の単一色表示に切り替える場合に単一色表示モード信号を出力する表示切り替え制御部をさらに備え、
前記駆動ＩＣ部は、前記単一色表示モード信号を受信した場合には、前記補正演算処理および前記補正後のビデオデータの出力処理を停止あるいはスタンバイ状態とし、
前記パネル部は、前記単一色表示モード信号を受信した場合には、前記補正後のビデオデータの代わりに、前記単一色表示を行うために必要な特定電圧を前記データラインに対して供給することで前記所望の単一色を表示する
ことを特徴とする表示装置。
【請求項２】
請求項１に記載の表示装置において、
前記パネル部は、前記単一色表示モード信号を受信した場合には、直流電源供給ラインから供給される電位を前記特定電圧として前記データラインに対して供給することで黒色を表示することを特徴とする表示装置。
【請求項３】
請求項１に記載の表示装置において、
前記パネル部は、前記単一色表示モード信号を受信した場合には、前記データラインに対して前記特定電圧を供給する代わりに、前記複数のサブ画素を構成するそれぞれの表示素子に対して供給する電圧をオフすることで前記表示素子の発光を停止させて黒色を表示させる発光停止回路をさらに備えることを特徴とする表示装置。
【請求項４】
請求項１に記載の表示装置において、
前記駆動ＩＣ部は、所望の単一色表示に対応した特定電位を発生する電位発生器をさらに備え、前記単一色表示モード信号を受信した場合には、前記パネル部に対して前記所望のカラー表示を行わせるために必要なビデオデータの代わりに前記電位発生器で発生した前記特定電圧を供給し、
前記パネル部は、前記単一色表示モード信号を受信した場合には、前記駆動ＩＣ部から読み込んだ前記特定電圧を前記データラインに対して供給することで前記所望の単一色を表示する
ことを特徴とする表示装置。
【請求項５】
請求項１ないし４のいずれか１項に記載の表示装置において、
前記表示切り替え制御部は、１垂直ライン単位あるいは１画面単位で前記単一色表示モード信号を出力することを特徴とする表示装置。
【請求項６】
請求項５に記載の表示装置において、
前記表示切り替え制御部は、１画面単位で前記単一色表示モード信号を出力し、
前記パネル部は、前記単一色表示モード信号の状態に応じて、通常のカラー表示と、前記所望の単一色表示とを画面単位で交互に繰り返す
ことを特徴とする表示装置。
【請求項７】
請求項１に記載の表示装置において、
前記駆動ＩＣ部は、前記パネル部内で各サブ画素に対応するデータラインに接続されたデータラインドライバを駆動制御するためのＭｕｘ信号を前記駆動信号の１つとして生成する際に、前記単一色表示モード信号に応じて、データラインドライバをＯＦＦさせるＭｕｘ信号を生成して出力し、
前記パネル部は、各サブ画素に接続されているデータラインのそれぞれと前記特定電圧を供給するための電位供給ラインとの間に単一色表示切り換え用スイッチをさらに有し、前記単一色表示モード信号に応じて前記単一色表示切り換え用スイッチをＯＮさせることで前記データラインに対して前記電位供給ラインから前記特定電圧を供給することで前記所望の単一色を表示する
ことを特徴とする表示装置。
【請求項８】
請求項１ないし７のいずれか１項に記載の表示装置は、ＬＣＤ表示装置あるいはＯＬＥＤ表示装置であることを特徴とする表示装置。
【発明の詳細な説明】
【技術分野】
【０００１】
本発明は、通常のカラー表示と所望の単一色表示を併用した多色表示を実現する表示装置に関し、特に、所望の単一色表示を行う際に、パネル内にビデオデータを送信することなく、低消費電力化を実現できる表示装置に関する。
【背景技術】
【０００２】
携帯電話、カメラなどの携帯機器の電池駆動時間の長寿命化は、使用期間の長大化やエネルギーの有効活用の面で、非常に重要である。そして、このような携帯機器には、一般的に、表示パネル（表示装置）が用いられており、必然的に表示パネルの低消費電力化が要求される。特に、薄さ、コントラスト、動画特性など、携帯機器に必要な種々のよい特長を備えた表示装置として、ＯＬＥＤ表示装置に対する要求が強くなりつつある。
【０００３】
図１４は、従来のＯＬＥＤ表示装置の表示方法に関する説明図であり、（ａ）はデータラインの駆動回路、（ｂ）は通常のカラー表示を行う場合の駆動波形をそれぞれ示している。図１４において、各画素は、Ｒ、Ｇ、Ｂの３つのサブ画素で構成されている。そして、Ｒ、Ｇ、Ｂに対応したＭｕｘ信号によりデータラインドライバが制御され、Ｒ、Ｇ、Ｂに対応したビデオデータが各データラインに取り込まれる。さらに、ゲートライン信号による適切なタイミングで、各データラインの信号に基づいて、Ｒ、Ｇ、Ｂそれぞれのサブ画素に表示がなされることとなる。
【０００４】
このような構成を備えたＯＬＥＤ表示装置における低消費電力化を実現するための制御方法（電池の長寿命化）としては、一般的に、以下のものが知られている。
１）一定時間表示後に、発光輝度を低下させる。
２）一定時間表示後に、表示を停止させる。
３）周囲光を検知して、最適な発光輝度を設定する。
４）最大消費電流を設定しておき、それを超える場合は、自動的に輝度を低下させ、輝度の再設定を行う。
５）光色毎に電源電圧を変え、最適なマージンを確保しながら電源値（ＶＤＤやＣＶ）を設定する。
６）テキスト画面では、表示データを白黒反転させる。
７）すべての表示を黒バックにする。
８）制御信号の振幅を小さくする（レベルシフタ（Ｌ／Ｓ）をパネル内に内蔵し、Ｌ／Ｓの直前まで低振幅駆動するなど）。
９）駆動回路を間欠動作させる。
１０）サブピクセルを４色（ＲＧＢＷ）用意し、Ｗ成分による駆動を多くする。
１１）ＯＬＥＤ材料の高効率化を図る。
１２）ＯＬＥＤデバイス構造の最適化、あるいは光学材料・構造の最適化による光取り出し効率の向上を図る。
【発明の開示】
【発明が解決しようとする課題】
【０００５】
しかしながら、従来技術には次のような課題がある。
近年、携帯機器用を始めとした表示装置には、低消費電力化とともに、動画特性の改善など種々の要求がある。
【０００６】
従来の表示装置は、通常、ビデオ信号が外部駆動ＩＣから入力されて、その信号に応じた輝度となるように制御されている。従って、駆動ＩＣの消費電力を増加させている要因としては、駆動ＩＣとパネルとの間の負荷増加、あるいは、駆動周波数の増加が挙げられる。
【０００７】
一方、動画特性の向上を図るためには、黒画像などといった単一ビデオデータを挿入する技術がある。しかしながら、従来の表示装置では、黒画像など単一色表示の場合にも、その色の信号が外部駆動ＩＣからビデオ信号として入力されて表示されている。従って、通常のカラー表示と所望の単一色表示を併用した表示を行うことを考慮した上で、低消費電力化を図ることが急務である。
【０００８】
本発明は上述のような課題を解決するためになされたもので、通常のカラー表示と所望の単一色表示を併用した多色表示の低消費電力化を実現できる表示装置を得ることを目的とする。
【課題を解決するための手段】
【０００９】
本発明に係る表示装置は、ビデオデータに対して表示用の補正演算処理を施して補正後のビデオデータを生成し、表示に必要な駆動信号と補正後のビデオデータとを出力する駆動ＩＣ部と、駆動ＩＣ部により生成された駆動信号および補正後のビデオデータを読み込み、複数のサブ画素に接続されたそれぞれのデータラインに対して、データラインに対応する補正後のビデオデータを供給することで、所望のカラー表示を行うパネル部とを備えた表示装置であって、カラー表示から所望の単一色表示に切り替える場合に単一色表示モード信号を出力する表示切り替え制御部をさらに備え、駆動ＩＣ部は、単一色表示モード信号を受信した場合には、補正演算処理および補正後のビデオデータの出力処理を停止あるいはスタンバイ状態とし、パネル部は、単一色表示モード信号を受信した場合には、補正後のビデオデータの代わりに、単一色表示を行うために必要な特定電圧をデータラインに対して供給することで所望の単一色を表示するものである。
【発明の効果】
【００１０】
本発明に係る表示装置によれば、所望の単一色表示を行うためのモードに切り替えた際には、パネル内にビデオデータを送信する必要のない構成を備えることで駆動ＩＣ部での消費電力を低減することにより、通常のカラー表示と所望の単一色表示を併用した多色表示の低消費電力化を実現できる表示装置を得るができる。
【図面の簡単な説明】
【００１１】
【図１】一般的な表示装置に適用される黒画像表示の一例を示す図である。
【図２】一般的な表示装置に適用される黒画像表示の一例を示す図である。
【図３】本発明の実施の形態１におけるＯＬＥＤ表示装置の全体構成図である。
【図４】本発明の実施の形態１におけるＯＬＥＤ表示装置の全体構成図である。
【図５】本発明の実施の形態１におけるＯＬＥＤ表示装置のモードが切り替わる際の表示方法に関する説明図である。
【図６】本発明の実施の形態１におけるＯＬＥＤ表示装置の１画面全てを黒データ表示する際の表示方法に関する説明図である。
【図７】本発明の実施の形態２におけるＯＬＥＤ表示装置の表示方法に関する説明図である。
【図８】本実施の形態２におけるＯＬＥＤ表示装置に適用可能な発光停止回路の別の構成例を示した図である。
【図９】本発明の実施の形態３におけるＯＬＥＤ表示装置の表示方法に関する説明図である。
【図１０】本発明の実施の形態３におけるＯＬＥＤ表示装置の全体構成図である。
【図１１】本発明の実施の形態４におけるＯＬＥＤ表示装置の表示方法に関する説明図である。
【図１２】本発明の実施の形態４における表示装置で表示可能な色の一例を示した図である。
【図１３】本発明の実施の形態４におけるＯＬＥＤ表示装置の全体構成図である。
【図１４】従来のＯＬＥＤ表示装置の表示方法に関する説明図である。
【発明を実施するための形態】
【００１２】
以下、本発明の表示装置の好適な実施の形態につき図面を用いて説明する。
本発明における表示装置は、単一ビデオ信号を外部駆動ＩＣから転送することなく所望の単一色を表示させることができ、動画特性に優れた表示性能を得た上で、低消費電力化を実現することを技術的特徴としている。
【００１３】
詳細な実施の形態を説明する前に、まず、本発明における表示装置の機能および効果の概要について説明する。
図１、図２は、一般的な表示装置に適用される黒画像表示の一例を示す図である。図１（ａ）は、画面の縦横比を変更するために、上部と下部に黒ラインが挿入された状態を示している。また、図１（ｂ）は、背景色を白から黒に切り換えて表示した状態を示している。さらに、図２は、動画特性の改善の１つとして、１フレーム毎に黒画像が挿入されている状態を示している。
【００１４】
本発明は、書き込む単一色データが、最小１垂直ライン単位以上である場合に有効であり、これら図１、図２のような表示に対して、低消費電力化を図ることができる技術である。例えば、先の図２に示したように、黒画像を挿入することで動画特性の改善を図ろうとすると、必然的に、動作周波数が増加し、消費電力が増加する結果となる。これに対して、本発明における表示装置を適用することで、低消費電力化が可能となる。
【００１５】
本発明における表示装置は、以下に示す４機能のうち、機能１、２、４の組合せ、あるいは機能１、３、４の組合せのいずれかを実施することで、低消費電力化を可能としている。なお、以降の説明では、通常のカラー表示ではなく、本発明の特徴である低消費電力化を実現するための所望の単一色表示を行わせるモードのことを、「マルチカラーモード」と称す。
［機能１］同一データ転送（１ライン、１画面など）か否かを意味する信号、すなわち、マルチカラーモードの選択信号に相当するＭＣＭ信号（Ｍｕｌｔｉ  Ｃｏｌｏｒ  Ｍｏｄｅ）の新規追加
［機能２］パネル内にあるデータ線へのマルチカラーデータ転送回路の追加
［機能３］画素回路と垂直駆動回路に対して発光停止機能を追加
［機能４］ビデオ信号を転送する必要がないことに伴い、これに関わる駆動ＩＣ内部回路の動作停止機能を追加
【００１６】
上述の機能を備えることで、本発明における表示装置は、１ライン以上の単一色表示時に、駆動ＩＣの動作電力を抑えることが可能な駆動が実現できる。さらに、入力ビデオ信号の数や電位を変えることで、駆動ＩＣの動作を抑制しつつ、黒、白、グレー、単色、等の多色表示も実現できる。
【００１７】
特に、動画特性向上のための黒画像挿入駆動時のＬＣＤ及びＯＬＥＤといった表示装置の低消費電力化に有効となる。そこで、以下の実施の形態１〜４により、本発明における表示装置を具体的に説明する。なお、以下の具体例の説明に当たっては、表示装置の一例としてＯＬＥＤ表示装置を用いた場合を中心に説明する。しかしながら、本発明は、ＯＬＥＤ以外の表示装置に対しても適用可能である。
【００１８】
実施の形態１．
本実施の形態１では、上述した機能１、２、４の組合せにより低消費電力化を実現する表示装置について、具体的に説明する。
【００１９】
図３は、本発明の実施の形態１におけるＯＬＥＤ表示装置の全体構成図であり、駆動ＩＣ１０とパネル２０とで構成されている。駆動ＩＣ１０は、ガンマ補正回路１１、メモリ１２、論理回路１３、ドライバ１４、およびＤＡＣ１５を備えている。また、パネル２０の内部構成については、図４〜図６を用いて後述する。なお、マルチカラーモードの選択信号に相当するＭＣＭ信号は、図示していないが、表示切り替え制御部から出力される。
【００２０】
ＯＬＥＤ表示装置の消費電力は、駆動ＩＣ１０の部分での消費電力と、パネル２０の部分での消費電力とに大別され、両方の電力を下げることが有効である。そして、ＯＬＥＤ表示を行うパネル部２０は、通常、ビデオ信号が駆動ＩＣ１０から入力され、その信号に応じた輝度を発光している。従って、発光に寄与する画素数の低減と、駆動ＩＣ１０から入力されるビデオ信号数の低減とが、低消費電力化に効果的である。
【００２１】
そこで、本実施の形態１に係る発明は、表示モードとして、例えば、黒画像を挿入するような場合に、マルチカラーモードに切り換える機能を追加し、低消費電力化を実現するＯＬＥＤ表示装置を提案するものである。より具体的には、本実施の形態１では、マルチカラー表示による低消費電力化を図る意味で、次の２点がポイントとなる。
［ポイント１］マルチカラー表示を意図するＭＣＭ信号によって、各サブ画素のデータラインに黒データ（すなわち、ＯＬＥＤが発光しないデータ）を書き込むこと
［ポイント２］マルチカラー表示を意図するＭＣＭ信号によって、黒データを表示する全てのサブ画素に対する駆動ＩＣ内の回路動作（演算処理、ビデオデータの出力処理など）を停止させること
【００２２】
このようにして黒画像の挿入を行うことで、動画特性を改善しつつ、低消費電力化を図ることが可能となる。なお、後述するが、パネル２０に供給される電位を適切な値とすることで、単一色ではあるが、黒以外の単一色の表示も可能であり（実施の形態３参照）、また、フルカラー表示も可能である（実施の形態４参照）。
【００２３】
駆動ＩＣ１０は、黒データ転送を意味するＭＣＭ信号が発生すると、論理回路１３とメモリ１２との間で行われる演算を停止する。さらに、駆動ＩＣ１０は、ドライバ１４やＤＡＣ１５から、ＭＣＭに必要な駆動信号（ＣＬＫ、Ｘ、Ｙ駆動信号、Ｍｕｘ信号、ＭＣＭ信号）やビデオ信号（ビデオデータ）をパネル２０に送信する。
【００２４】
論理回路１３では、通常、ビデオデータＲ、Ｇ、Ｂに対して、各種補正のための演算処理が行われる。一方、ＭＣＭにおいては、入力されたＲＧＢデータの演算が停止され、演算量は殆どなくなる。また、メモリ１２との間のデータのやり取りも殆どなくなる。
【００２５】
また、ドライバ１４では、通常、３色のビデオデータを書き込むための信号が出力される。しかし、ＭＣＭにおいては、パネルの画素に対して、黒データを書き込むのに必要な信号のみが出力される。
【００２６】
また、ＤＡＣ１５では、通常、３色のビデオデータが出力される。しかし、ＭＣＭにおいては、消費電力を極力抑える状態（例えば、スタンバイ状態）にセットされる。パネル側の画素が、ＲＧＢではなく、ＲＧＢＷの場合にも、同様に、停止あるいはスタンバイ状態にセットすることで、低消費電力化が行われる。
【００２７】
図４は、本発明の実施の形態１におけるＯＬＥＤ表示装置の表示方法に関する説明図であり、（ａ）はデータラインの駆動回路、（ｂ）はＭＣＭ時の各波形をそれぞれ示している。基本的な構成は、先の図１４における従来のＯＬＥＤ表示装置と同じである。この図４は、黒データを表示する場合を例示している。すなわち、上述した［機能２］において、パネル内にあるデータ線へ黒データを転送する回路（黒データ転送回路）を例示している。
【００２８】
図４中の、ＭＣＭ信号、ＭＳＷ（Ｍｕｌｔｉ  ｃｏｌｏｒ−ＳＷ）であるトランジスタ、そして各サブ画素Ｒ、Ｇ、Ｂに接続された電位供給線で構成される回路が、黒データ転送回路に相当する。画素におけるＯＬＥＤ駆動ＴＦＴの伝導型がｐチャネルトランジスタなので、黒データは、「Ｈ」であるＶＤＤ電位となる。
【００２９】
この黒データは、画素回路構成によって、「Ｈ」か「Ｌ」のいずれかに決まる。ＭＣＭ信号は、１垂直ライン全ての画素データが黒（発光しない）である場合、活性化する。図４の場合、論理動作の点から「Ｌ」で活性化するが、回路構成上、「Ｈ」で活性化する場合もある。
【００３０】
次に、図４に示した回路の具体的な動作について説明する。ＭＣＭ時（すなわち、ＭＣＭ信号が「Ｌ」のとき）には、次のように動作する。
［動作１］Ｍｕｘ信号が「Ｈ」固定になり、ＲＧＢのデータ線駆動トランジスタ（図４中のデータラインドライバに相当）の動作を停止する。
［動作２］一方、ＭＳＷがＯＮし、ＲＧＢのデータ線には、ＶＤＤラインから「Ｈ」データが入力される。
［動作３］ゲート線が活性化すると、各サブ画素Ｒ、Ｇ、Ｂに「Ｈ」データが転送され、その結果、画素の駆動ＴｒがＯＦＦし、発光が停止され、黒データが表示されることとなる。
【００３１】
なお、上述したＭＣＭ時の動作中におけるＲＧＢのビデオデータは、「Ｄｏｎ’ｔ  ｃａｒｅ」であり、駆動ＩＣで駆動する必要はない。この結果、駆動ＩＣの消費電力を抑えることができ、低消費電力化を実現できる。
【００３２】
次に、通常のカラー表示と、本発明の「マルチカラーモード」による表示が混在する場合について、図面に基づいて説明する。図５は、本発明の実施の形態１におけるＯＬＥＤ表示装置のモードが切り替わる際の表示方法に関する説明図である。より具体的には、ゲートラインｎのみの全画素データが黒データを表示する「マルチカラーモード」で、前後のゲートライン（ｎ−１、ｎ＋１）は、通常のビデオデータを表示するモードである場合の各信号の波形を示している。ＭＣＭ信号が活性化（「Ｌ」）することで、Ｍｕｘ信号や各データラインＲ、Ｇ、Ｂが「Ｈ」になる。
【００３３】
なお、ＭＣＭ信号の発生は、１垂直ラインに限定されるものではない。複数垂直ラインや１画面全てが黒データである場合にも、図５と同様の切り替え動作を適用することができる。
【００３４】
図６は、本発明の実施の形態１におけるＯＬＥＤ表示装置の１画面全てを黒データ表示する際の表示方法に関する説明図である。この場合には、１画面分のデータに対応して、ＭＣＭ信号が出るようにセットされる。なお、１垂直ライン毎にＭＣＭ信号を発生させると、垂直ライン数だけＭＣＭ信号が動作する結果となってしまう。そこで、低消費電力化の観点から、ＭＣＭ信号は、１画面分のデータに対して１回だけ発生させるほうがよい。
【００３５】
ＭＣＭ信号の発生タイミングは、１ライン毎の場合には、垂直走査系（Ｖ系）の基本クロック（ＣＫＶ）に同期したタイミングにすることができ、１画面毎の場合には、垂直走査系駆動回路のスタート信号（ＶＳＴ）に同期したタイミングにする。
【００３６】
以上のように、実施の形態１によれば、単色表示を行わせたいタイミングで発生するＭＣＭ信号に基づいて、通常のカラー表示から「マルチカラーモード」による表示に切り替える機能を有している。この機能により、「マルチカラーモード」の表示を行う場合には、駆動ＩＣ部からパネル部にビデオデータを送信する必要がない。この結果、駆動ＩＣ部での処理動作を少なくする、あるいはスタンバイ状態にすることができ、駆動ＩＣの低消費電力化が可能となり、特定の単色を混在させた表示を行う際の低消費電力化を実現できる。
【００３７】
近年、ＴＶ用に動画特性の向上を目的として、１画面毎、あるいは帯状に“黒データ”を挿入する駆動法が開発されている。これに対して、本発明における「マルチカラーモード」への切換は、１ライン毎に制御できるので、きめ細かい消費電力管理が可能となる。このような目的で、黒データを多用する場合に、本実施の形態に係る発明は、特に有効であり、動画特性を向上させた上で、低消費電力化を図ることができる。高精細化、大型化の傾向にある表示装置においては、ＤＡＣ回路の出力負荷は大きくなるが、この負荷が大きくなればなるほど、本発明の効果は大きいといえる。
【００３８】
実施の形態２．
本実施の形態２では、上述した機能１、３、４の組合せにより低消費電力化を実現する表示装置について、具体的に説明する。
【００３９】
図７は、本発明の実施の形態２におけるＯＬＥＤ表示装置の表示方法に関する説明図である。本実施の形態２における表示装置は、画素回路と垂直駆動回路に発光停止回路を備えていることを技術的特徴としている。
【００４０】
この「発光停止回路」を実現するためには、回路設計上、次の２点の構成を備えることが必須となる。
［必須構成１］画素回路が、ある信号（発光停止信号）を受信して、発光が停止するように設計されていること。
［必須構成２］垂直系走査駆動回路に、発光停止信号を駆動する機能があること。
【００４１】
まず始めに、必須構成１について説明する。図７中の画素回路は、選択トランジスタＴｒ１、駆動トランジスタＴｒ２、および発光停止用トランジスタＴｒ３を備えている。発光停止用トランジスタ（Ｅｍｉｓｓｉｏｎ  ＯＦＦ  Ｔｒ）Ｔｒ３は、発光停止信号を受信することで、発光を停止させる役目を果たす。図７においては、この発光停止用トランジスタＴｒ３が、発光電流ｉｄが流れる経路に直列に配置された場合を例示している。このような構成において、外部からの発光停止信号に応じて発光停止用トランジスタＴｒ３がオフすることで、発光が停止し、黒データを表示できる。
【００４２】
図８は、本実施の形態２におけるＯＬＥＤ表示装置に適用可能な発光停止回路の別の構成例を示した図である。図８においては、発光停止用トランジスタＴｒ３が、駆動トランジスタＴｒ２のゲート電位を「Ｈ」にすることで駆動トランジスタＴｒ２をオフさせる位置に配置された場合を例示している。その他、ＴＦＴの閾値補償用の画素回路等に、このような制御方法を適用してもよい。
【００４３】
次に、必須構成２について説明する。先の図７の構成において、黒データを書き込むためのＭＣＭ信号が活性化した場合には、ゲート駆動回路（図７中のゲートドライバに相当）の動作を止め、発光停止信号駆動回路（図７中のエミッションＯＦＦドライバに相当）を活性化させる。発光停止信号駆動回路が、「Ｈ」信号を送信することで、発光停止用トランジスタＴｒ３がオフする。
【００４４】
なお、発光停止信号駆動回路は、少なくとも、シフトレジスタからの信号と、黒データを書き込むためのＭＣＭ信号によって、起動される。
【００４５】
以上のように、実施の形態２によれば、単色表示を行わせたいタイミングで発生するＭＣＭ信号に基づいて、通常のカラー表示から「マルチカラーモード」による表示に切り替えるために、「発光停止回路」を備えた構成となっている。このような構成を備えることで、発光を停止させて黒データを表示させることができ、先の実施の形態１と同様の効果を得ることができる。
【００４６】
実施の形態３．
先の実施の形態１、２では、単一色表示として黒データを表示する場合について説明した。これに対して、本実施の形態３では、「マルチカラーモード」時に印加する電圧値を適切な値にすることで、白から黒までの所望の階調により濃淡表示を可能とする場合について説明する。
【００４７】
図９は、本発明の実施の形態３におけるＯＬＥＤ表示装置の表示方法に関する説明図である。本実施の形態３における表示装置は、ＭＳＷのソース電位を、ＶＤＤとは別の電位（Ｖｍｃｍ）に接続したことを技術的特徴としている。
【００４８】
先の実施の形態１では、ＭＳＷのソース電位がＶＤＤ電位に接続されており、「マルチカラーモード」時における表示が黒データのみに限られていた。これに対して、本実施の形態３では、ＶＤＤとは別に設けられた電位（Ｖｍｃｍ）を用いることで、「マルチカラーモード」時において、白データから灰色を経た黒データまでの各階調の表示が可能となる。白から黒までの各階調で、１ライン全て同じデータを表示させたい場合、本発明を適用することで、低消費電力化が可能となる。
【００４９】
図１０は、本発明の実施の形態３におけるＯＬＥＤ表示装置の全体構成図である。先の実施の形態１で説明した図３の構成と比較すると、本実施の形態３における図１０の構成は、駆動ＩＣ１０内に電位発生器１６をさらに備えている点が異なっている。
【００５０】
この電位発生器１６は、論理回路１３およびＤＡＣ１５と同様に、ＭＣＭ信号に接続されている。さらに、電位発生器１６は、所望の単一表示色の電位に対応するＶＭＣＭ信号にも接続されている。これにより、電位発生器１６は、ＭＣＭ信号およびＶＭＣＭ信号を受信することで、「マルチカラーモード」時に、所望の濃淡表示色に対応する電位（Ｖｍｃｍ）をパネル２０に対して供給することが可能となる。
【００５１】
以上のように、実施の形態３によれば、「マルチカラーモード」による表示を行わせる際に、所望の濃淡表示色に対応する電位を発生する電位発生器をさらに備えた構成となっている。これにより、先の実施の形態１、２と同様の効果を得ることができるとともに、さらに、「マルチカラーモード」における単一色を、白から黒までの所望の階調色のいずれかに設定することが可能となる。
【００５２】
実施の形態４．
先の実施の形態３では、「マルチカラーモード」時に、白から黒までの所望の階調による濃淡表示を行わせる場合について説明した。これに対して、本実施の形態４では、「マルチカラーモード」時に印加する電圧値を適切な値に設定する際に、Ｒ、Ｇ、Ｂで個別設定することで、所望のフルカラー表示を可能とする場合について説明する。
【００５３】
図１１は、本発明の実施の形態４におけるＯＬＥＤ表示装置の表示方法に関する説明図である。本実施の形態４における表示装置は、Ｒ、Ｇ、Ｂに対応するそれぞれのＭＳＷのソース電位を、ＶＤＤとは別の３種類の電位（Ｖｍｃｍｒ、Ｖｍｃｍｇ、Ｖｍｃｍｂ）に個別に接続したことを技術的特徴としている。
【００５４】
先の実施の形態３では、Ｒ、Ｇ、Ｂの各サブ画素に対して共通に設けられた電位（Ｖｍｃｍ）を用いることで、「マルチカラーモード」時において、白データから灰色を経た黒データまでの各階調表示を可能としていた。これに対して、本実施の形態４では、ＶＤＤとは別に設けられ、かつ、Ｒ、Ｇ、Ｂの各サブ画素に対して個別に設けられた電位（Ｖｍｃｍｒ、Ｖｍｃｍｇ、Ｖｍｃｍｂ）を用いることで、「マルチカラーモード」時において、所望のフルカラー単純色（ラスター）での表示を可能としている。
【００５５】
これにより、同一色の表示がある場合、外部ＩＣの消費電力を抑制しながら、白から黒、純色（赤、緑、青）、混色フルカラーの単純色（ラスター）の表示が、外部ＩＣからの表示データ転送なしに可能となる。
【００５６】
図１２は、本発明の実施の形態４における表示装置で表示可能な色の一例を示した図である。すなわち、Ｖｍｃｍｒ、Ｖｍｃｍｇ、Ｖｍｃｍｂに対して適当な電位の組合せを与えることで、フルカラーのうちの所望の色を表示させることができることを示している。このように、単一色ではあるが、フルカラーの表示が可能となる。
【００５７】
図１３は、本発明の実施の形態４におけるＯＬＥＤ表示装置の全体構成図である。先の実施の形態３で説明した図１０の構成と比較すると、本実施の形態４における図１３の構成は、Ｒ、Ｇ、Ｂの各サブ画素に対応した個別の電位を発生できる電位発生器１６ａを電位発生器１６の代わりに備えている点が異なっている。
【００５８】
この電位発生器１６ａは、論理回路１３およびＤＡＣ１５と同様に、ＭＣＭ信号に接続されている。さらに、電位発生器１６ａは、各サブ画素の所望の表示色の電位に対応する３種類のＶＭＣＭ信号（ＶＭＣＭＲ信号、ＶＭＣＭＧ信号、ＶＭＣＭＢ信号）にも接続されている。これにより、電位発生器１６ａは、ＭＣＭ信号および３種類のＶＭＣＭ信号を受信することで、「マルチカラーモード」時に、所望のラスター表示色に対応する電位（Ｖｍｃｍｒ、Ｖｍｃｍｇ、Ｖｍｃｍｂ）をパネル２０に対して供給することが可能となる。
【００５９】
以上のように、実施の形態４によれば、「マルチカラーモード」による表示を行わせる際に、所望のラスター表示色に対応する電位を発生する電位発生器をさらに備えた構成となっている。これにより、先の実施の形態３と同様の効果を得ることができるとともに、さらに、「マルチカラーモード」における表示色を、フルカラー表示色のいずれかに設定することが可能となる。例えば、額縁やテキストモードにおいて、低消費電力で、背景色をユーザの好みに可変できるオプションを提供できる。
【符号の説明】
【００６０】
１０  駆動ＩＣ（駆動ＩＣ部）、１１  ガンマ補正回路、１２  メモリ、１３  論理回路、１４  ドライバ、１５  ＤＡＣ、１６、１６ａ  電位発生器、２０  パネル（パネル部）。
【図１】
2011013275.tif 000003
【図２】
2011013275.tif 000004
【図３】
2011013275.tif 000005
【図４】
2011013275.tif 000006
【図５】
2011013275.tif 000007
【図６】
2011013275.tif 000008
【図７】
2011013275.tif 000009
【図８】
2011013275.tif 000010
【図９】
2011013275.tif 000011
【図１０】
2011013275.tif 000012
【図１１】
2011013275.tif 000013
【図１２】
2011013275.tif 000014
【図１３】
2011013275.tif 000015
【図１４】
2011013275.tif 000016